(57)【要約】【課題】他方の脚回りのサイズに合わせて選んでも、一方脚側のレッグ開口部からの体液漏れを起こし難いパンツ型使い捨ておむつを提供すること。【解決手段】本発明の使い捨ておむつ１Ａは、第１，第２弾性部材７１，７２による非対称のレッグギャザー７０ａ，７０ｂを有する。おむつ１Ａの股下部Ｃには、第１，第２弾性部材７１，７２を固着する第１，第２股下接着領域Ｇ１，Ｇ２が形成され、その間には非接着領域Ｎが形成されている。第１，第２弾性部材７１，７２は、非接着領域Ｎの中央部Ｎ１においてカットされている。第１及び第２弾性部材７１，７２は、股下部Ｃの一方においては、互いに交差しており、その交差点７３が、第１，第２股下接着領域Ｇ１，Ｇ２の外方に配されている。第１，第２弾性部材７１，７２は、股下部Ｃの他方においては、互いに重なっているか又は並置している。【選択図】図３
2010264042.tif 000002
【特許請求の範囲】
【請求項１】
腹側部の両側部と背側部の両側部とが互いに接合されて、ウエスト開口部及び一対のレッグ開口部が形成され、一対の該レッグ開口部それぞれに沿って配された複数本の第１弾性部材及び複数本の第２弾性部材により形成された一対のレッグギャザーを有し、一対の該レッグギャザーは非対称であるパンツ型の使い捨ておむつであって、
前記第１弾性部材は、前記腹側部の一方の前記レッグ開口部から、股下部を通り該腹側部の他方の前記レッグ開口部に亘って伸張状態で配され、
前記第２弾性部材は、前記背側部の一方の前記レッグ開口部から、前記股下部を通り該背側部の他方の前記レッグ開口部に亘って伸張状態で配され、
前記股下部には、一方の前記レッグ開口部側に前記第１及び第２弾性部材を固着する第１股下接着領域と、他方の前記レッグ開口部側に前記第１及び第２弾性部材を固着する第２股下接着領域とが形成され、該第１股下接着領域と該第２股下接着領域との間には非接着領域が形成されており、前記第１及び第２弾性部材は、前記第１及び第２股下接着領域において固着され、前記非接着領域の中央部においてカットされており、
複数本の前記第１及び第２弾性部材は、前記股下部の一方の前記レッグ開口部側においては、少なくとも１本ずつが互いに交差しており、該第１及び第２弾性部材の交差する交差点が、前記第１股下接着領域の前記レッグ開口部側の外方に配されており、前記第２股下接着領域においては、少なくとも１本ずつが互いに重なっているか又は並置しているパンツ型使い捨ておむつ。
【請求項２】
複数本の前記第１弾性部材及び複数本の前記第２弾性部材は、前記股下部の一方の前記レッグ開口部側においては、互いに複数箇所で交差しており、
前記第１弾性部材と前記第２弾性部材とが交差する複数個の交差点の中で最も前記股下部の前記中央部側に位置する交差点が、前記第１股下接着領域の前記レッグ開口部側の外方に配されている請求項１に記載のパンツ型使い捨ておむつ。
【請求項３】
前記第１及び第２股下接着領域における接着剤の塗布量それぞれは、複数本の前記第１弾性部材を前記腹側部で固着する接着剤の塗布量又は複数本の前記第２弾性部材を前記背側部で固着する接着剤の塗布量よりも多い請求項１又は２に記載のパンツ型使い捨ておむつ。
【請求項４】
前記第１及び第２股下接着領域それぞれの前記レッグ開口部側の外縁は、前記パンツ型使い捨ておむつに備えられる吸収体の前記レッグ開口部側の外縁に沿って配されている請求項１〜３の何れかに記載のパンツ型使い捨ておむつ。
【請求項５】
前記パンツ型使い捨ておむつは、表面シート、裏面シート及び両シート間に介在された吸収体を有する吸収性本体と、該吸収性本体の前記裏面シート側に配され該吸収性本体の外方全域に亘って延出する外層体とを備えたパンツ型使い捨ておむつであって、
前記外層体は、前記パンツ型の使い捨ておむつの最外表面となる外層シートと、該外層シートの内面側に配された内層シートとから形成され、
複数本の前記第１及び第２弾性部材それぞれは、前記外層シート及び前記内層シートの間に配されている請求項１〜４の何れかに記載のパンツ型使い捨ておむつ。
【発明の詳細な説明】
【技術分野】
【０００１】
本発明は、着用感や防漏性に優れたパンツ型使い捨ておむつに関する。
【背景技術】
【０００２】
従来より、ウエスト開口部や一対のレッグ開口部に、左右対称なギャザーを形成させるために複数本の弾性部材が配されたパンツ型使い捨ておむつが知られている。例えば、特許文献１には、レッグ開口部の周縁に沿って左右対称のレッグ弾性領域が形成されており、該レッグ弾性領域は、腹側部から股下部に亘って配された複数本の第１弾性部材と、背側部から股下部に亘って配された複数本の第２弾性部材とを備え、股下部において、複数本の第１及び第２弾性部材が互いに重なっているパンツ型使い捨ておむつが開示されている。
【０００３】
また、特許文献２には、左右対称のレッグギャザーを形成するための弾性部材が、トップシートを構成する２層のシート状材料に取り付けられた状態で、主としてレッグホール周辺のみに存在しており、 弾性部材を必要としない股下区域には、わずかなテール部分が残存するに過ぎないパンツ型使い捨ておむつが開示されている。
【０００４】
ところで、パンツ型使い捨ておむつを介護の場面で使用する場合に、左右対称のレッグ弾性領域（レッグギャザー）を有するパンツ型使い捨ておむつでは、一方のレッグ開口部から頻繁に体液漏れを起こす場合がある。例えば、右脚が不自由で右脚の筋肉が衰え右脚の太腿が左脚の太腿に比べ異様に細くなってしまった人が、特許文献１又は特許文献２に記載のパンツ型使い捨ておむつを着用しても、レッグ弾性領域が左右対称であるため、左脚まわりのサイズに合わせてパンツ型使い捨ておむつを選んだ場合には、右脚側のレッグ開口部から体液漏れを起こし易く、右脚まわりのサイズに合わせてパンツ型使い捨ておむつを選んだ場合には、体型及び左脚のサイズが合わず着用でき難い。
【０００５】
現在のところ、前述した使用場面の問題を提起した先行技術文献を本発明者は見出していない。しかし、前述したように、一方のレッグ開口部から頻繁に体液漏れを起こしてしまう人は、数多く存在すると考えられ、そのような人の介護・ライフスタイルに大きな影響を与える潜在性を秘めていると考えられる。
【先行技術文献】
【特許文献】
【０００６】
【特許文献１】特開２００３−１０２７７９号公報
【特許文献２】特開平６−３２７７１６号公報
【発明の開示】
【発明が解決しようとする課題】
【０００７】
したがって、本発明の課題は、何らかの原因で一方の脚が他方の脚に比べ異様に細くなった人が、他方の脚回りのサイズに合わせてパンツ型使い捨ておむつを選んでも、一方脚側のレッグ開口部からの体液漏れを起こし難いパンツ型使い捨ておむつを提供することにある。
【課題を解決するための手段】
【０００８】
本発明は、腹側部の両側部と背側部の両側部とが互いに接合されて、ウエスト開口部及び一対のレッグ開口部が形成され、一対の該レッグ開口部それぞれに沿って配された複数本の第１弾性部材及び複数本の第２弾性部材により形成された一対のレッグギャザーを有し、一対の該レッグギャザーは非対称であるパンツ型の使い捨ておむつであって、前記第１弾性部材は、前記腹側部の一方の前記レッグ開口部から、股下部を通り該腹側部の他方の前記レッグ開口部に亘って伸張状態で配され、前記第２弾性部材は、前記背側部の一方の前記レッグ開口部から、前記股下部を通り該背側部の他方の前記レッグ開口部に亘って伸張状態で配され、前記股下部には、一方の前記レッグ開口部側に前記第１及び第２弾性部材を固着する第１股下接着領域と、他方の前記レッグ開口部側に前記第１及び第２弾性部材を固着する第２股下接着領域とが形成され、該第１股下接着領域と該第２股下接着領域との間には非接着領域が形成されており、前記第１及び第２弾性部材は、前記第１及び第２股下接着領域において固着され、前記非接着領域の中央部においてカットされており、複数本の前記第１及び第２弾性部材は、前記股下部の一方の前記レッグ開口部側においては、少なくとも１本ずつが互いに交差しており、該第１及び第２弾性部材の交差する交差点が、前記第１股下接着領域の前記レッグ開口部側の外方に配されており、前記第２股下接着領域においては、少なくとも１本ずつが互いに重なっているか又は並置しているパンツ型使い捨ておむつを提供するものである。
【発明の効果】
【０００９】
本発明のパンツ型使い捨ておむつによれば、何らかの原因で一方の脚が他方の脚に比べ異様に細くなった人が、他方の脚回りのサイズに合わせてパンツ型使い捨ておむつを選んでも、一方脚側のレッグ開口部からの体液漏れを起こし難い。
【図面の簡単な説明】
【００１０】
【図１】図１は、本発明の第１実施形態であるパンツ型使い捨ておむつを示す斜視図である。
【図２】図２は、図１に示すパンツ型使い捨ておむつを展開して伸張した状態を示す展開平面図である。
【図３】図３は、図２に示すパンツ型使い捨ておむつの股下部の拡大平面図である。
【図４】図４は、図２に示すパンツ型使い捨ておむつの複数本の第１弾性部材及び複数本の第２弾性部材と、第１股下接着領域及び第２股下接着領域との位置関係を示す要部拡大平面図である。
【図５】図５は、本発明の第２実施形態であるパンツ型使い捨ておむつの複数本の第１弾性部材及び複数本の第２弾性部材と、第１股下接着領域及び第２股下接着領域との位置関係を示す要部拡大平面図である。
【発明を実施するための形態】
【００１１】
以下、本発明のパンツ型使い捨ておむつの好ましい第１実施形態について、図１〜図４に基づいて説明する。
【００１２】
第１実施形態のパンツ型使い捨ておむつ１Ａ（以下、「おむつ１Ａ」ともいう。）は、図１〜図２に示すように、腹側部Ａの両側部６ａ，６ａと背側部Ｂの両側部６ｂ，６ｂとが互いに接合されて、ウエスト開口部Ｄ及び一対のレッグ開口部Ｅ，Ｅが形成され、一対のレッグ開口部Ｅ，Ｅそれぞれに沿って配された複数本の第１弾性部材７１及び複数本の第２弾性部材７２により形成された一対のレッグギャザー７０ａ，７０ｂを有し、一対のレッグギャザー７０ａ，７０ｂは非対称である。
おむつ１Ａは、図２〜図４に示すように、おむつ１Ａの長手方向に延びる中心線ＣＬに対して左右対称に形成されている。従って以下の説明では、左右対称な部分については、主に、左側について説明する。
【００１３】
おむつ１Ａについて、詳述すると、おむつ１Ａは、図２に示すように、液透過性の表面シート２、液不透過性（撥水性も含む）の裏面シート３及び両シート２，３間に介在された吸収体４を有する実質的に縦長の吸収性本体５と、該吸収性本体５の裏面シート３側に配され吸収性本体５の外方全域に亘って延出する外層体６とを備えている。吸収性本体５は、外層体６に接合固定されている。おむつ１Ａは、図１，図２に示すように、延出した外層体６の腹側部Ａの両側縁部６ａ，６ａ及び背側部Ｂの両側縁部６ｂ，６ｂを互いに重ね合わせて融着し、ウエスト開口部Ｄ及び一対のレッグ開口部Ｅ，Ｅを形成している。おむつ１Ａは、図１，図2に示すように、装着者の腹側に位置する腹側部Ａ、装着時に装着者の背側に位置する背側部Ｂ、及び腹側部Ａと背側部Ｂとの間に配置される股下部Ｃを有している。
【００１４】
おむつ１Ａにおいて、吸収体４は、中央部分が括れた砂時計状（図１，図３参照）であり、表面シート２及び裏面シート３は、図２に示すように、それぞれ長方形状であり、表面シート２及び裏面シート３は、吸収体４の長手方向（以下「Ｙ方向」という。Ｙ方向：中心線ＣＬに平行な方向をいう。）の両端縁から延出した部分において互いに接合され、幅方向（以下「Ｘ方向」という。Ｘ方向：使い捨ておむつ１Ａの長手方向に延びる中心線ＣＬに垂直な方向をいう。）の両端縁から延出した部分において互いに接合されている。このように接合することにより、縦長の長方形状の吸収性本体５が形成されている。
【００１５】
外層体６は、図２に示すように、その長手方向（Ｙ方向）に、腹側部Ａ、股下部Ｃ及び背側部Ｂを有している。外層体６は、図２に示すように、吸収性本体５の外方全域に亘って延出しており、その両側縁に、長手方向（Ｙ方向）中央部において内方に括れた括れ部６ｄ，６ｄを有している。これら括れ部６ｄ，６ｄは、外層体６の腹側部Ａの両側縁部６ａ，６ａ及び背側部Ｂの両側縁部６ｂ，６ｂを互いに重ね合わせて融着した際に、一対のレッグ開口部Ｅ，Ｅとなる部分である。第１実施形態における外層体６は、図２に示すように、パンツ型吸収性物品の最外表面となる外層シート６１及び外層シート６１の内面側に配されている内層シート６２から形成されている。
【００１６】
外層体６を構成する外層シート６１及び内層シート６２の間には、図１，図２に示すように、第１弾性部材７１及び第２弾性部材７２、ウエスト弾性部材８及び胴廻り弾性部材９が配されて、一対のレッグ弾性領域（レッグギャザー）７０ａ，７０ｂ、ウエスト弾性領域（ウエストギャザー）８０及び胴回り弾性領域（胴回りギャザー）９０が形成されている。ウエスト弾性領域（ウエストギャザー）８０は、複数本のウエスト弾性部材８を、図１，図２に示すように、吸収性本体５より長手方向（Ｙ方向）外方であって、外層体６の腹側部Ａにおける両側縁部６ａ，６ｂ及び背側部Ｂにおける両側縁部６ｂ，６ｂ間に亘ってそれぞれ伸張状態で配することにより形成されている。胴回り弾性領域（胴回りギャザー）９０は、複数本の胴廻り弾性部材９を、図１，図２に示すように、ウエスト弾性部材８と外層体６の括れ部６ｄとの間であって、外層体６の腹側部Ａにおける両側縁部６ａ，６ｂ及び背側部Ｂにおける両側縁部６ｂ，６ｂ間に亘って伸張状態で配することにより形成されている。
【００１７】
おむつ１Ａの外層体６を構成する外層シート６１及び内層シート６２の間には、図２，図３に示すように、腹側部Ａの全域において接着剤が塗布された腹側接着領域Ｇ３と、背側部Ｂの全域において接着剤が塗布された背側接着領域Ｇ４と、股下部Ｃにおいて接着剤が塗布された第１股下接着領域Ｇ１及び第２股下接着領域Ｇ２とが形成されている。おむつ１Ａの股下部Ｃには、図３に示すように、一方のレッグ開口部Ｅ（括れ部６ｄ）側に複数本の第１弾性部材７１及び複数本の第２弾性部材７２を固着する第１股下接着領域Ｇ１と、他方のレッグ開口部Ｅ（括れ部６ｄ）側に複数本の第１弾性部材７１及び複数本の第２弾性部材７２を固着する第２股下接着領域Ｇ２とが形成され、第１股下接着領域Ｇ１と第２股下接着領域Ｇ２との間には非接着領域Ｎが形成されており、複数本の第１弾性部材７１及び複数本の第２弾性部材７２は、第１股下接着領域Ｇ１及び第２股下接着領域Ｇ２において固着され、非接着領域Ｎの中央部Ｎ１においてカットされている。おむつ１Ａの股下部Ｃについて、以下、図２〜図４を参照しながら具体的に説明する。
【００１８】
複数本の第１弾性部材７１は、図２に示すように、腹側部Ａの一方（本実施形態においては、図２の左側）のレッグ開口部Ｅ（括れ部６ｄ）から、股下部Ｃを通り腹側部Ａの他方（本実施形態においては、図２の右側）のレッグ開口部Ｅ（括れ部６ｄ）に亘って伸張状態で配され、後述する股下部Ｃの非接着領域Ｎの中央部N１でカットされている。詳述すると、複数本の第１弾性部材７１は、図２，図３に示すように、腹側部Ａの一方（図２の左側）の側縁部６ａから腹側部Ａの一方（図２の左側）のレッグ開口部Ｅ（括れ部６ｄ）に沿って配され、股下部Ｃを通り、腹側部Ａの他方（図２の右側）のレッグ開口部Ｅ（括れ部６ｄ）沿って腹側部Ａの他方（図２の右側）の側縁部６ａに至るまで伸張状態で配され、股下部Ｃにおいて、接着剤の塗布されていない後述する非接着領域Ｎの中央部（中心線ＣＬを含む部位）N１でそれぞれカットされている。
【００１９】
複数本の第２弾性部材７２は、図２に示すように、背側部Ｂの一方（図２の左側）のレッグ開口部Ｅ（括れ部６ｄ）から、股下部Ｃを通り背側部Ｂの他方（図２の右側）のレッグ開口部Ｅ（括れ部６ｄ）に亘って伸張状態で配され、股下部Ｃの非接着領域Ｎの中央部N１でカットされている。詳述すると、複数本の第２弾性部材７１は、図２，図３に示すように、第１弾性部材７１と同様に、背側部Ｂの一方（図２の左側）の側縁部６ａから背側部Ｂの一方（図２の左側）のレッグ開口部Ｅ（括れ部６ｄ）に沿って配され、股下部Ｃを通り、背側部Ｂの他方（図２の右側）のレッグ開口部Ｅ（括れ部６ｄ）沿って背側部Ｂの他方（図２の右側）の側縁部６ａに至るまで伸張状態で配され、股下部Ｃにおいて、接着剤の塗布されていない非接着領域Ｎの中央部N１でそれぞれカットされている。
【００２０】
おむつ１Ａの外層体６の第１股下接着領域Ｇ１及び第２股下接着領域Ｇ２では、複数本の第１弾性部材７１及び複数本の第２弾性部材７２が固着されている。第１股下接着領域Ｇ１及び第２股下接着領域Ｇ２は、図３に示すように、おむつ１Ａの長手方向（Ｙ方向）において、腹側接着領域Ｇ３及び背側接着領域Ｇ４と離間して形成されており、おむつ１Ａの幅方向（Ｘ方向）において、レッグ開口部Ｅ（括れ部６ｄ）の開口縁よりも内側に配されている。第１股下接着領域Ｇ１と第２股下接着領域Ｇ２との間には、図３に示すように、接着剤の塗布されていない非接着領域Ｎが形成されている。
【００２１】
第１股下接着領域Ｇ１及び第２股下接着領域Ｇ２は、図２，図３に示すように、それぞれ四角形状である。図２，図３に示すように、第１股下接着領域Ｇ１と第２股下接着領域Ｇ２とは、おむつ１Ａの中心線ＣＬに対して左右対称的に形成されており、同じ形状であるため、以下、第１股下接着領域Ｇ１について説明する。
第１股下接着領域Ｇ１は、図２に示すように、その長手方向（Ｙ方向）の長さＬ１が、おむつ１Ａの股下部Ｃにおいて、複数本の第１弾性部材７１及び複数本の第２弾性部材７２の配置領域よりも広いことが好ましく、具体的には、１０ｍｍ〜５０ｍｍであることが好ましく、長手方向（Ｙ方向）の長さＬ１とおむつ１Ａの長手方向（Ｙ方向）の最大距離Ｌ２との比（Ｌ１／Ｌ２）が、１／５４〜５／４９であることが好ましく、３／５４〜３／４９であることが更に好ましい。また、図２に示すように、第１股下接着領域Ｇ１の幅方向（Ｘ方向）の幅Ｗ１は、２５ｍｍ〜７５ｍｍであることが好ましく、幅方向（Ｘ方向）の幅Ｗ１とおむつ１Ａの股下部Ｃにおける幅方向（Ｘ方向）の最小距離Ｗ２との比（Ｗ１／Ｗ２）が、１／１６〜５／２２であることが好ましく、１／８〜５／３３であることが更に好ましい。
【００２２】
第１股下接着領域Ｇ１は、図３に示すように、そのレッグ開口部Ｅ（括れ部６ｄ）側の外縁ｇ１が、吸収体４のレッグ開口部Ｅ（括れ部６ｄ）側の外縁４１に沿って配されている。第１股下接着領域Ｇ１の外縁ｇ１の形状は、図３に示すように、吸収体４の外縁４１の形状に対応している。第１股下接着領域Ｇ１の外縁ｇ１と吸収体４の外縁４１との間隔は、弾性体に吸収体の持ち上げ効果を付与させる観点から、０ｍｍ〜５０ｍｍであることが好ましく、０ｍｍ〜２０ｍｍであることが更に好ましい。
【００２３】
第１股下接着領域Ｇ１と第２股下接着領域Ｇ２との間の非接着領域Ｎについて具体的に説明すると、図３に示すように、接着剤の塗布されていない非接着領域Ｎの幅方向（Ｘ方向）の幅Ｗ３は、１０ｍｍ〜７０ｍｍであることが好ましく、幅方向（Ｘ方向）の幅Ｗ３とおむつ１Ａの股下部Ｃにおける幅方向（Ｘ方向）の最小距離Ｗ２との比（Ｗ３／Ｗ２）が、１／１８〜７／１８であることが好ましく、２／９〜１／３であることが更に好ましい。
【００２４】
おむつ１Ａは、図２，図３に示すように、腹側接着領域Ｇ３において、腹側部Ａの外層シート６１及び腹側部Ａの内層シート６２が固着されており、腹側部Ａの外層シート６１と腹側部Ａの内層シート６２との間には、腹側部Ａのウエスト弾性部材８、腹側部Ａの胴廻り弾性部材９、第１弾性部材７１の一部分が固着されている。また、おむつ１Ａは、図２，図３に示すように、背側接着領域Ｇ４において、背側部Ｂの外層シート６１及び背側部Ｂの内層シート６２が固着されており、背側部Ｂの外層シート６１と背側部Ｂの内層シート６２との間には、背側部Ｂのウエスト弾性部材８、背側部Ｂの胴廻り弾性部材９、第２弾性部材７２の一部分が固着されている。また、おむつ１Ａは、図２，図３に示すように、第１股下接着領域Ｇ１及び第２股下接着領域Ｇ２において、股下部Ｃの外層シート６１及び股下部Ｃの内層シート６２が固着されており、股下部Ｃの外層シート６１と股下部Ｃの内層シート６２との間には、股下部Ｃに配された第１弾性部材７１の一部分及び第２弾性部材７２の一部分が固着されており、股下部Ｃに配された第１弾性部材７１及び第２弾性部材７２は、図２，図３に示すように、非接着領域Ｎの中央部Ｎ１においてカットされている。
【００２５】
複数本の第１弾性部材７１をカットすることにより、複数本の第１弾性部材７１は、図２〜図４に示すように、腹側部Ａの一方（図２の左側）のレッグ開口部Ｅ（括れ部６ｄ）においては、レッグ開口部Ｅ（括れ部６ｄ）に沿って配されたギャザー形成部７１ａと、このギャザー形成部７１ａから中心線ＣＬに向かって延出するギャザー形成延長部７１ｂとなる。腹側部Ａの他方（図２の右側）のレッグ開口部Ｅ（括れ部６ｄ）においても、同様に、複数本の第１弾性部材７１は、図２〜図４に示すように、レッグ開口部Ｅ（括れ部６ｄ）に沿って配されたギャザー形成部７１ａと、このギャザー形成部７１ａから中心線ＣＬに向かって延出するギャザー形成延長部７１ｂとなる。
【００２６】
複数本の第２弾性部材７２をカットすることにより、第１弾性部材７１と同様に、複数本の第２弾性部材７２は、図２〜図４に示すように、背側部Ｂの一方（図２の左側）のレッグ開口部Ｅ（括れ部６ｄ）においては、レッグ開口部Ｅ（括れ部６ｄ）に沿って配されたギャザー形成部７２ａと、このギャザー形成部７２ａから中心線ＣＬに向かって延出するギャザー形成延長部７２ｂとなる。背側部Ｂの他方（図２の右側）のレッグ開口部Ｅ（括れ部６ｄ）においても、同様に、複数本の第２弾性部材７２は、図２〜図４に示すように、レッグ開口部Ｅ（括れ部６ｄ）に沿って配されたギャザー形成部７２ａと、このギャザー形成部７２ａから中心線ＣＬに向かって延出するギャザー形成延長部７２ｂとなる。
【００２７】
おむつ１Ａには、腹側部Ａ及び背側部Ｂの一方（図２の左側）のレッグ開口部Ｅ（括れ部６ｄ）に沿って配されたギャザー形成部７１ａ及びギャザー形成部７２ａによりレッグ開口部Ｅの周縁に沿って環状に閉じ、さらにギャザー形成延長部７１ｂ，７２ｂによりギャザー形成部７１ａ及びギャザー形成部７２ａそれぞれから中心線ＣＬに向かって延出したレッグ弾性領域（レッグギャザー）７０ａが形成されている。同様に、おむつ１Ａには、腹側部Ａ及び背側部Ｂの他方（図２の右側）のレッグ開口部Ｅ（括れ部６ｄ）に沿って配されたギャザー形成部７１ａ及びギャザー形成部７２ａによりレッグ開口部Ｅの周縁に沿って環状に閉じ、さらにギャザー形成延長部７１ｂ，７２ｂによりギャザー形成部７１ａ及びギャザー形成部７２ａそれぞれから中心線ＣＬに向かって延出したレッグ弾性領域（レッグギャザー）７０ｂが形成されている。
【００２８】
第１弾性部材７１のギャザー形成延長部７１ｂ及び第２弾性部材７２のギャザー形成延長部７２ｂは、伸張状態の第１弾性部材７１又は伸張状態の第２弾性部材７２をカットすることにより形成されているため、第１股下接着領域Ｇ１及び第２股下接着領域Ｇ２においては、伸張状態で固着されており、第１股下接着領域Ｇ１及び第２股下接着領域Ｇ２より中心線ＣＬ側に延在する部分（第１股下接着領域Ｇ１と第２股下接着領域Ｇ２との間の非接着領域Ｎの部分）においては、スナップバックにより自然状態に戻った部分を含んでいる。
【００２９】
上述したように、おむつ１Ａのレッグ弾性領域（レッグギャザー）７０ａは、一方（図２の左側）のレッグ開口部Ｅ（括れ部６ｄ）に沿って配されたギャザー形成部７１ａ及びギャザー形成部７２ａと、それらから延在しているギャザー形成延長部７１ｂ，７２ｂとにより形成されており、おむつ１Ａのレッグ弾性領域（レッグギャザー）７０ｂは、他方（図２の右側）のレッグ開口部Ｅ（括れ部６ｄ）に沿って配されたギャザー形成部７１ａ及びギャザー形成部７２ａと、それらから延在しているギャザー形成延長部７１ｂ，７２ｂとにより形成されており、レッグ弾性領域（レッグギャザー）７０ａとレッグ弾性領域（レッグギャザー）７０ｂとは異なっている。レッグ弾性領域（レッグギャザー）７０ａとレッグ弾性領域（レッグギャザー）７０ｂとは、特に、以下の点において非対称に形成されている。以下、具体的に説明する。
【００３０】
複数本の第１弾性部材７１及び複数本の第２弾性部材７２は、図３，図４に示すように、股下部Ｃの一方（図２の左側）のレッグ開口部Ｅ（括れ部６ｄ）側においては、少なくとも１本ずつが互いに交差しており、第１弾性部材７１及び第２弾性部材７２の交差する交差点７３が、第１股下接着領域Ｇ１のレッグ開口部Ｅ（括れ部６ｄ）側の外方に配されている。複数本の第１弾性部材７１及び複数本の第２弾性部材７２は、図２，図３に示すように、股下部Ｃの他方（図２の右側）のレッグ開口部Ｅ（括れ部６ｄ）側（第２股下接着領域Ｇ２）においては、少なくとも１本ずつが互いに重なっているか又は並置している。
複数本の第１弾性部材７１及び複数本の第２弾性部材７２と、第１股下接着領域Ｇ１及び第２股下接着領域Ｇ２との位置関係について更に具体的に説明する。
【００３１】
第１弾性部材７１は、１本〜５本配されていることが好ましく、第１実施形態の第１弾性部材７１は、図２〜図４に示すように、３本の弾性部材から形成されている。３本の第１弾性部材７１は、図２〜図４に示すように、互いに重ならないように略等間隔に配されている。第１実施形態の３本の第１弾性部材７１は、図３，図４に示すように、腹側部Ａの一方（図２の左側）のレッグ開口部Ｅ（括れ部６ｄ）及び腹側部Ａの他方（図２の右側）のレッグ開口部Ｅ（括れ部６ｄ）に対して最も近くに配されている第１弾性部材７１Ａと、最も離れて配されている第１弾性部材７１Ｃと、第１弾性部材７１Ａ及び第１弾性部材７１Ｃの間に配されている第１弾性部材７１Ｂとから形成されている。
【００３２】
第２弾性部材７２は、１本〜５本配されていることが好ましく、第１実施形態の第２弾性部材７２は、図２〜図４に示すように、第１弾性部材７１と同様に、３本の弾性部材から形成されている。３本の第２弾性部材７２は、図２〜図４に示すように、第１弾性部材７１と同様に、互いに重ならないように略等間隔に配されている。第１実施形態の３本の第２弾性部材７２は、図３，図４に示すように、背側部Ｂの一方（図２の左側）のレッグ開口部Ｅ（括れ部６ｄ）及び背側部Ｂの他方（図２の右側）のレッグ開口部Ｅ（括れ部６ｄ）に対して最も近くに配されている第２弾性部材７２Ａと、最も離れて配されている第２弾性部材７２Ｃと、第２弾性部材７２Ａ及び第２弾性部材７２Ｃの間に配されている第２弾性部材７２Ｂとから形成されている。
【００３３】
おむつ１Ａは、股下部Ｃの一方（図２の左側）のレッグ開口部Ｅ（括れ部６ｄ）においては、図４に示すように、３本の第１弾性部材７１の中の第１弾性部材７１Ａが、３本の第２弾性部材７２Ａ，７２Ｂ，７２Ｃそれぞれと交差しており、３個の交差点７３ＡＡ（交差点７３ＡＡの前側のＡは第１弾性部材７１ＡのＡを意味し、後側のＡは第２弾性部材７２ＡのＡを意味する。），７３ＡＢ，７３ＡＣを有している。また、おむつ１Ｂは、図４に示すように、股下部Ｃの一方（図２の左側）のレッグ開口部Ｅ（括れ部６ｄ）において、３本の第１弾性部材７１の中の第１弾性部材７１Ｂが、２本の第２弾性部材７２Ａ，７２Ｂそれぞれと交差しており、２個の交差点７３ＢＡ，７３ＢＢを有している。おむつ１Ｂは、図４に示すように、股下部Ｃの一方（図２の左側）のレッグ開口部Ｅ（括れ部６ｄ）において、３本の第１弾性部材７１の中の第１弾性部材７１Ｃが、１本の第２弾性部材７２Ａと交差しており、１個の交差点７３ＣＡを有している。
【００３４】
股下部Ｃの一方（図２の左側）のレッグ開口部Ｅ（括れ部６ｄ）においては、図４に示すように、３本の第１弾性部材７１Ａ，７１Ｂ，７１Ｃと３本の第２弾性部材７２Ａ，７２Ｂ，７２Ｃとが交差する５個の交差点７３ＡＡ，７３ＡＢ，７３ＡＣ，７３ＢＡ，７３ＢＢ，７３，７３ＣＡの中で最も股下部Ｃの中央部Ｎ１側に位置する交差点７３ＣＡが、図４に示すように、第１股下接着領域Ｇ１のレッグ開口部Ｅ（括れ部６ｄ）側の外方に配されている。
【００３５】
股下部Ｃの一方（図２の左側）のレッグ開口部Ｅ（括れ部６ｄ）においては、３本の第１弾性部材７１Ａ，７１Ｂ，７１Ｃ及び３本の第２弾性部材７２Ａ，７２Ｂ，７２Ｃは、互いに交差する６個の交差点７３ＡＡ，７３ＡＢ，７３ＡＣ，７３ＢＡ，７３ＢＢ，７３，７３ＣＡで交わる以外、図４に示すように、重なっておらず、交差もしていない。図４に示すように、３本の第１弾性部材７１Ａ，７１Ｂ，７１Ｃ及び３本の第２弾性部材７２Ａ，７２Ｂ，７２Ｃそれぞれは、第１股下接着領域Ｇ１において、レッグ開口部Ｅ（括れ部６ｄ）側から中心線ＣＬに向かって配されており、互いに略均等に間隔を開けて、略並行に広範囲に配されている。
【００３６】
それに対し、おむつ１Ａの股下部Ｃの他方（図２の右側）のレッグ開口部Ｅ（括れ部６ｄ）においては、図４に示すように、３本の第１弾性部材７１の中の第１弾性部材７１Ａが、３本の第２弾性部材７２Ａ，７２Ｂそれぞれと交差しており、２個の交差点７３ＡＡ，７３ＡＢを有し、残りの１本の第２弾性部材７２Ｃと接した後、並置している。また、おむつ１Ａは、図４に示すように、股下部Ｃの他方（図２の右側）のレッグ開口部Ｅ（括れ部６ｄ）において、３本の第１弾性部材７１の中の第１弾性部材７１Ｂが、１本の第２弾性部材７２Ａと交差しており、１個の交差点７３ＢＡを有し、１本の第２弾性部材７２と接した後、並置している。また、おむつ１Ａは、図４に示すように、股下部Ｃの他方（図２の右側）のレッグ開口部Ｅ（括れ部６ｄ）において、３本の第１弾性部材７１の中の第１弾性部材７１Ｃが、１本の第２弾性部材７２Ａと接した後、並置している。
【００３７】
おむつ１Ａの股下部Ｃの他方（図２の右側）のレッグ開口部Ｅ（括れ部６ｄ）においては、図４に示すように、３本の第１弾性部材７１Ａ，７１Ｂ，７１Ｃと３本の第２弾性部材７２Ａ，７２Ｂ，７２Ｃとが交差する３個の交差点７３ＡＡ，７３ＡＢ，７３ＢＡは何れも、第２股下接着領域Ｇ２のレッグ開口部Ｅ（括れ部６ｄ）側の外方に配されている。
【００３８】
股下部Ｃの他方（図２の右側）のレッグ開口部Ｅ（括れ部６ｄ）においては、３本の第１弾性部材７１Ａ，７１Ｂ，７１Ｃ及び３本の第２弾性部材７２Ａ，７２Ｂ，７２Ｃは、図４に示すように、第２股下接着領域Ｇ２において、第１弾性部材７１Ａと第２弾性部材７２Ｃとが一本の弾性部材のように並置した状態でレッグ開口部Ｅ（括れ部６ｄ）側から中心線ＣＬに向かって配され、第１弾性部材７１Ｂと第２弾性部材７２Ｂとが一本の弾性部材のように並置した状態でレッグ開口部Ｅ（括れ部６ｄ）側から中心線ＣＬに向かって配され、第１弾性部材７１Ｃと第２弾性部材７２Ａとが一本の弾性部材のように並置した状態でレッグ開口部Ｅ（括れ部６ｄ）側から中心線ＣＬに向かって配されており、それらが互いに略等間隔を開けて、略並行に配されている。
【００３９】
第１実施形態のおむつ１Ａの形成材料について説明する。
表面シート２、裏面シート３及び吸収体４としては、それぞれ、通常、使い捨ておむつ等の吸収性物品に用いられるものであれば、特に制限なく用いることができる。例えば、表面シート２としては、親水性且つ液透過性の不織布等を用いることができ、裏面シート３としては、液不透過性又は撥水性の樹脂フィルムや樹脂フィルムと不織布の積層体等を用いることができる。吸収体４としては、吸収性ポリマーの粒子及び繊維材料から構成され、ティッシュペーパ（図示せず）によって被覆されているものを用いることができる。
【００４０】
外層体６を構成する外層シート６１と背側部Ｂの内層シート６２としては、通常、使い捨ておむつ等の吸収性物品に用いられるものであれば、特に制限なく用いることができる。例えば、外層シート５１及び内層シート５２としては、撥水性の不織布等を用いることができる。
【００４１】
ウエスト弾性部材８、胴廻り弾性部材９、第１弾性部材７１及び第２弾性部材７２としては、通常、使い捨ておむつ等の吸収性物品に用いられるものであれば、特に制限なく用いることができる。例えば、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる伸縮性の材料等を用いることができる。
【００４２】
カット前の第１弾性部材７１及び第２弾性部材７２の伸張倍率は、肌に弾性体跡などのトラブルを起こさないことと、脚周りに隙間を生じさせないことを両立するという観点から、１６０％〜２５０％であることが好ましく、２００％〜２４０％であることがさらに好ましい。ここでいう伸張倍率とは、未伸張時の長さをＡ（ｍｍ）、伸張時の長さをＢ（ｍｍ）とした際、次式から求められる値である。
伸張倍率（％）＝（Ｂ／Ａ）×１００
【００４３】
第１股下接着領域Ｇ１、第２股下接着領域Ｇ２、腹側接着領域Ｇ３及び背側接着領域Ｇ４それぞれに塗布された接着剤としては、通常、使い捨ておむつ等の吸収性物品に用いられるものであれば、特に制限なく用いることができる。例えば、スチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のホットメルト粘着剤等やハップ剤等で使用するゲル状粘着剤等を用いることができる。接着剤の塗布パターンとしては、ストライプ状、スパイラル状、ベタ塗り、ドット状等が挙げられる。
【００４４】
第１股下接着領域Ｇ１及び第２股下接着領域Ｇ２における接着剤の塗布量それぞれは、弾性体の端部をしっかりと固定しながらレッグホールに沿って弾性体を保持させることで、脚周り全周に弾性体の影響を及ぼすという観点から、腹側接着領域Ｇ３における接着剤の塗布量又は背側接着領域Ｇ４における接着剤の塗布量よりも多いことが好ましい。第１股下接着領域Ｇ１及び第２股下接着領域Ｇ２における接着剤の塗布量は、２．５ｇ／ｍ2〜２０ｇ／ｍ2であることが好ましく、１０ｇ／ｍ2〜１６ｇ／ｍ2であることが更に好ましい。一方、腹側接着領域Ｇ３における接着剤の塗布量又は背側接着領域Ｇ４における接着剤の塗布量は、１．０ｇ／ｍ2〜５．０ｇ／ｍ2であることが好ましく、２．０ｇ／ｍ2〜４．０ｇ／ｍ2であることが更に好ましい。
【００４５】
第１弾性部材７１及び第２弾性部材７２の非接着領域Ｎの中央部Ｎ１におけるカットには、各種公知の切断手段を用いることができる。例えばピンチカッター、ロータリーダイカッター、ヒートシールカッター、超音波カッター、ウォータージェットカッター等を用いることができる。
【００４６】
上述した本発明の第１実施形態のおむつ１Ａを使用した際の作用効果について説明する。
おむつ１Ａは、図３，図４に示すように、股下部Ｃ一方（図２の左側）のレッグ開口部Ｅ（括れ部６ｄ）においては、３本の第１弾性部材７１Ａ，７１Ｂ，７１Ｃ及び３本の第２弾性部材７２ａ，７２Ｂ，７２Ｃが、第１股下接着領域Ｇ１のレッグ開口部Ｅ（括れ部６ｄ）側の外方に、５個の交差点７３ＡＡ，７３ＡＢ，７３ＡＣ，７３ＢＡ，７３ＢＢ，７３，７３ＣＡを有するように配され、第１股下接着領域Ｇ１において、何れの弾性部材７１，７２も交差せず、互いに間隔を開けて広範囲に配されている。それに対し、図３，図４に示すように、股下部Ｃ他方（図２の右側）のレッグ開口部Ｅ（括れ部６ｄ）の第２股下接着領域Ｇ２においては、第１弾性部材７１Ａと第２弾性部材７２Ｃとが一本の弾性部材のように並置した状態で配され、第１弾性部材７１Ｂと第２弾性部材７２Ｂとが一本の弾性部材のように並置した状態で配され、第１弾性部材７１Ｃと第２弾性部材７２Ａとが一本の弾性部材のように並置した状態で配されており、それらが互いに略等間隔を開けて、略並行に配されている。従って、使用時のおむつ１Ａは、第１股下接着領域Ｇ１においては、弾性部材同士が重なりあうことなく広範囲に弾性部材が配されているので、着用感が向上すると共に、第２股下接着領域Ｇ２においては、第１弾性部材７１と第２弾性部材７２とが一本の弾性部材のように並置した状態で配されており、弾性部材の収縮力が向上するので、吸収体４を第１股下接着領域Ｇ１よりも引き上げることができる。よって、何らかの原因で右脚が左脚に比べ異様に細くなった人が、第１股下接着領域Ｇ１側、即ち、図２の左側のレッグギャザー７０ａを配する左脚の脚回りのサイズに合わせてパンツ型使い捨ておむつを選んでも、第２股下接着領域Ｇ２側、即ち、図２の右側のレッグギャザー７０ｂを配する右脚のレッグ開口部からの体液漏れを起こし難い。
【００４７】
また、おむつ１Ａは、図３，図４に示すように、第２股下接着領域Ｇ２において、第１弾性部材７１Ａ及び第２弾性部材７２Ｃ、第１弾性部材７１Ｂと第２弾性部材７２Ｂ、並びに第１弾性部材７１Ｃと第２弾性部材７２Ａが、一本の弾性部材のように並置した状態で、それらが互いに略等間隔を開けて、略並行に配されているので、弾性部材の収縮力が向上するにもかかわらず、吸収体４に折れが生じ難く、股下部Ｃにも皺が発生し難いので、着用感が向上する。
【００４８】
また、おむつ１Ａは、図３に示すように、第１股下接着領域Ｇ１と第２股下接着領域Ｇ２との間に非接着領域Ｎが形成されているので、股下部Ｃの通気性が向上し、おむつかぶれ等を防止することができる。
【００４９】
また、おむつ１Ａは、図３に示すように、第１股下接着領域Ｇ１及び第２股下接着領域Ｇ２が、おむつ１Ａの長手方向（Ｙ方向）において、腹側接着領域Ｇ３及び背側接着領域Ｇと離間しており、おむつ１Ａの幅方向（Ｘ方向）において、レッグ開口部Ｅ（括れ部６ｄ）の開口縁よりも内側に配されている。また、おむつ１Ａは、図３に示すように、第１股下接着領域Ｇ１と第２股下接着領域Ｇ２との間に非接着領域Ｎが形成されている。このように、おむつ１Ａは、接着剤が塗布されていない領域を有しているのでコストダウンすることができる。
【００５０】
次に、本発明の第２実施形態の使い捨ておむつについて、図５に基づいて説明する。
第２実施形態の使い捨ておむつ１Ｂについては、第１実施形態の使い捨ておむつ１Ａと異なる点について説明する。特に説明しない点は、第１実施形態の使い捨ておむつ１Ａと同様であり、第１実施形態の使い捨ておむつ１Ａの説明が適宜適用される。
【００５１】
第２実施形態の使い捨ておむつ１Ｂ（以下、「おむつ１Ｂ」ともいう。）は、股下部Ｃの一方（図２の左側）のレッグ開口部Ｅ（括れ部６ｄ）においては、図５に示すように、第１弾性部材７１Ａと第２弾性部材７２Ａとが互いに１箇所で交差しており、第１弾性部材７１Ａ及び第２弾性部材７２Ａの交差する交差点７３ＡＡが、第１股下接着領域Ｇ１のレッグ開口部Ｅ（括れ部６ｄ）側（中心線ＣＬから離れている側）の外方に配されている。第１弾性部材７１Ａ，７１Ｂ，７１Ｃと第２弾性部材７２Ａ，７２Ｂ，７２Ｃとは、交差点７３ＡＡで交わる以外では、重なっておらず、交差もしていない。図５に示すように、３本の第１弾性部材７１Ａ，７１Ｂ，７１Ｃ及び３本の第２弾性部材７２Ａ，７２Ｂ，７２Ｃそれぞれは、第１股下接着領域Ｇ１において、レッグ開口部Ｅ（括れ部６ｄ）側から中心線ＣＬに向かって配されており、互いに間隔を開けて、略並行に配されている。
【００５２】
それに対し、おむつ１Ｂの股下部Ｃの他方（図２の右側）のレッグ開口部Ｅ（括れ部６ｄ）においては、図５に示すように、３本の第１弾性部材７１の中の第１弾性部材７１Ａが、３本の第２弾性部材７２Ａ，７２Ｂそれぞれと交差しており２個の交差点７３ＡＡ，７３ＡＢを有し、残りの１本の第２弾性部材７２Ｃと接した後、重なっている。また、おむつ１Ｂは、図４に示すように、股下部Ｃの他方（図２の右側）のレッグ開口部Ｅ（括れ部６ｄ）において、３本の第１弾性部材７１の中の第１弾性部材７１Ｂが、１本の第２弾性部材７２Ａと交差しており１個の交差点７３ＢＡを有し、１本の第２弾性部材７２と接した後、重なっている。また、おむつ１Ｂは、図５に示すように、股下部Ｃの他方（図２の右側）のレッグ開口部Ｅ（括れ部６ｄ）において、３本の第１弾性部材７１の中の第１弾性部材７１Ｃが、１本の第２弾性部材７２Ａと接した後、重なっている。尚、重なっているとは、図５に示すように、弾性部材７１，７２同士が一致している状態のみならず、互いの部分同士が重なっている状態も含む意味である。
【００５３】
おむつ１Ｂの股下部Ｃの他方（図２の右側）のレッグ開口部Ｅ（括れ部６ｄ）においては、図５に示すように、３本の第１弾性部材７１Ａ，７１Ｂ，７１Ｃと３本の第２弾性部材７２Ａ，７２Ｂ，７２Ｃとが交差する３個の交差点７３ＡＡ，７３ＡＢ，７３ＢＡは何れも、第２股下接着領域Ｇ２のレッグ開口部Ｅ（括れ部６ｄ）側の外方に配されている。
【００５４】
股下部Ｃの他方（図２の右側）のレッグ開口部Ｅ（括れ部６ｄ）においては、３本の第１弾性部材７１Ａ，７１Ｂ，７１Ｃ及び３本の第２弾性部材７２Ａ，７２Ｂ，７２Ｃは、図５に示すように、第２股下接着領域Ｇ２において、第１弾性部材７１Ａと第２弾性部材７２Ｃとが一本の弾性部材のように重なった状態でレッグ開口部Ｅ（括れ部６ｄ）側から中心線ＣＬに向かって配され、第１弾性部材７１Ｂと第２弾性部材７２Ｂとが一本の弾性部材のように重なった状態でレッグ開口部Ｅ（括れ部６ｄ）側から中心線ＣＬに向かって配され、第１弾性部材７１Ｃと第２弾性部材７２Ａとが一本の弾性部材のように重なった状態でレッグ開口部Ｅ（括れ部６ｄ）側から中心線ＣＬに向かって配されており、それらが互いに略等間隔を開けて、略並行に配されている。
【００５５】
上述した本発明の第２実施形態の使い捨ておむつ１Ｂを使用した際の作用効果について説明する。
第２実施形態の使い捨ておむつ１Ｂは、第１実施形態の使い捨ておむつ１Ａと同様の効果が得られる。以下、第１実施形態の展開型使い捨ておむつ１Ａと異なる効果について説明する。
【００５６】
第２実施形態の使い捨ておむつ１Ｂは、左右の股下部Ｃにおいて、吸収体４を持ち上げる力を変化させることができる。つまり、何らかの原因により左右の脚の太さが異なる場合や、左右の脚の長さが異なり体が傾いてしまう場合、さらには横向き寝しかできない場合など、左右どちらかの吸収体４を肌に持ち上げ密着させたい場合に有効である。
【００５７】
本発明の使い捨ておむつは、上述の第１実施形態の使い捨ておむつ１Ａ及び第２実施形態の使い捨ておむつ１Ｂに何ら制限されるものではなく、適宜変更可能である。
【００５８】
例えば、上述の第１実施形態の使い捨ておむつ１Ａ及び第２実施形態の使い捨ておむつ１Ｂにおいては、図４，図５示すように、股下部Ｃの他方（図５の右側）のレッグ開口部Ｅ（括れ部６ｄ）側においては、第１弾性部材７１と第２弾性部材７２とが並置しているか又は重なっているが、少なくとも一本ずつが互いに並置しているか又は重なっていればよく、また、それらの組み合わせでもよい。
【００５９】
また、上述のおむつ１Ａ及びおむつ１Ｂにおいては、図４，図５に示すように、第１股下接着領域Ｇ１と第２股下接着領域Ｇ２との間に接着剤の塗布されていない非接着領域Ｎが形成されているが、伸張状態の第１弾性部材７１又は伸張状態の第２弾性部材７２を固着できない程度の少量の接着剤が塗布されていてもよい。
【００６０】
また、上述のおむつ１Ａは、図３に示すように、第１股下接着領域Ｇ１及び第２股下接着領域Ｇ２が、おむつ１Ａの長手方向（Ｙ方向）において、腹側接着領域Ｇ３及び背側接着領域Ｇと離間しており、離間している部分には接着剤が塗布されていないが、第１股下接着領域Ｇ１及び第２股下接着領域Ｇ２の接着剤の塗布量よりも少量の接着剤が塗布されていてもよい。同様に、おむつ１Ａは、図３に示すように、第１股下接着領域Ｇ１及び第２股下接着領域Ｇ２が、おむつ１Ａの幅方向（Ｘ方向）において、レッグ開口部Ｅ（括れ部６ｄ）の開口縁よりも内側に配されており、第１股下接着領域Ｇ１及び第２股下接着領域Ｇ２よりレッグ開口部Ｅ（括れ部６ｄ）側には接着剤が塗布されていないが、第１股下接着領域Ｇ１及び第２股下接着領域Ｇ２の接着剤の塗布量よりも少量の接着剤が塗布されていてもよい。
【００６１】
また、上述のおむつ１Ａ及びおむつ１Ｂにおいては、図２に示すように、外層シート６１と内層シート６２との２枚のシートからなる外層体６を備えているが、外層体６を有していないパンツ型使い捨ておむつであってもよく、外層体６を有していてもその外層体６が２枚のシートから形成されていなくてもよい。
【符号の説明】
【００６２】
１Ａ，１Ｂ  パンツ型使い捨ておむつ
２  表面シート
３  裏面シート
４  吸収体
４１  レッグ開口部Ｅ（括れ部６ｄ）側の外縁
５  吸収性本体
６  外層体
６１  内層シート
６２  外層シート
６ｄ  括れ部
７０ａ，７０ｂ  レッグ弾性領域（レッグギャザー）
７１（７１Ａ，７１Ｂ，７１Ｃ）  第１弾性部材
７２（７２Ａ，７２Ｂ，７２Ｃ）  第２弾性部材
７１ａ，７２ａ  ギャザー形成部
７１ｂ，７２ｂ  ギャザー形成延長部
７３（７３ＡＡ，７３ＡＢ，７３ＡＣ，７３ＢＡ，７３ＢＢ，７３ＣＡ）  交差点
８  ウエスト弾性部材
８０  ウエスト弾性領域（ウエストギャザー）
９  胴廻り弾性部材
９０  胴回り弾性領域（胴回りギャザー）
Ａ  背側部，Ｂ  腹側部，Ｃ  股下部，Ｄ  ウエスト開口部，Ｅ  レッグ開口部
Ｇ１  第１股下接着領域
ｇ１  レッグ開口部Ｅ（括れ部６ｄ）側の外縁
Ｇ２  第２股下接着領域，Ｇ３  腹側接着領域，Ｇ４  背側接着領域
Ｎ  非接着領域
Ｎ１  中央部
【図１】
2010264042.tif 000003
【図２】
2010264042.tif 000004
【図３】
2010264042.tif 000005
【図４】
2010264042.tif 000006
【図５】
2010264042.tif 000007